(57)【要約】【課題】リングの表面に石を点字を表現するように配列することにより、宝飾品としてより綺麗なリング状宝飾品を提供すること。【解決手段】指輪１０は、表面にダイヤモンドカットした石を表側１６あるいは裏側１５が露出するように点字規則に従って規則的に配列されている。指輪１０の両側に隆起した縁１１を結ぶ面が石１５、１６の突出部よりも高くなっている。また、表側が露出するように装着される石１６と裏側が露出するように装着される石１６とを異なる色としてもよい。点字の凹凸を石で表現する事によって視覚障害者の人でもメッセージが読めると共に、点字自体が輝き、本来の装飾品としての美観を保ちつつ、点字を表現する事が出来る。縁１１により指輪１０を物にこすった場合などに石が離脱し難くなると共に突起が他の指に当たって不快な感触を与えることを防止する。【選択図】図１
0003120194.tif 000002
【実用新案登録請求の範囲】
【請求項１】
リングの表面にダイヤモンドカットした石を表側あるいは裏側が露出するように規則的に配列したリング状宝飾品。
【請求項２】
リングの表面にダイヤモンドカットした石を表側あるいは裏側が露出するように規則的に配列し、前記配列および石の表裏は点字規則に従って決定されることを特徴とするリング状宝飾品。
【請求項３】
リングの表面にダイヤモンドカットした石を表側あるいは裏側が露出するように規則的に配列し、前記配列および石の表裏は点字規則に従って決定され、かつリングの両側に隆起した縁が設けられ、前記縁を結ぶ面が前記石の突出部よりも高くなっていることを特徴とするリング状宝飾品。
【請求項４】
リングの表面にダイヤモンドカットした石を表側あるいは裏側が露出するように規則的に配列し、前記配列および石の表裏は点字規則に従って決定され、かつ表側が露出するように装着される石と裏側が露出するように装着される石とを異なる色としたことを特徴とするリング状宝飾品。
【考案の詳細な説明】
【技術分野】
【０００１】
本考案は、リング状宝飾品に関するものであり、特にリングの表面に石を点字を表現するように配列したリング状宝飾品に関するものである。
【背景技術】
【０００２】
例えば下記特許文献１には、点字を表現した指輪が提案されている。この指輪は、指輪本体と点字部分は共に金属、合成樹脂、ゴム素材又は木などで一体化して形成されているか、あるいは、金属、合成樹脂、ゴム素材又は木で形成された指輪本体の表面に金属、合成樹脂又はゴム素材で形成された凸型の点字を施した帯状のテープに接着剤、両面テープなどで貼り付けたものであった。
【特許文献１】登録実用新案３０７８４３２号公報
【考案の開示】
【考案が解決しようとする課題】
【０００３】
上記したような従来の点字指輪においては、一体成形するためには製造に手間がかかり、かつ単一の金属により形成した場合に見た目が地味になる、点字部分が摩耗し易いなどの問題点があった。
【０００４】
本考案は、従来の問題点を解決し、リングの表面に石を点字を表現するように配列することにより、宝飾品としてより綺麗なリング状宝飾品を提供することを目的とする。
【課題を解決するための手段】
【０００５】
本考案のリング状宝飾品は、リングの表面にダイヤモンドカットした石を表側あるいは裏側が露出するように規則的に配列したことを主要な特徴とする。また、上記したリング状宝飾品において、前記配列および石の表裏が点字規則に従って決定される点にも特徴がある。
【０００６】
また、上記したリング状宝飾品において、リングの両側に隆起した縁が設けられ、前記縁を結ぶ面が前記石の突出部よりも高くなっている点にも特徴がある。また、上記したリング状宝飾品において、表側が露出するように装着される石と裏側が露出するように装着される石とを異なる色とした点にも特徴がある。
【考案の効果】
【０００７】
本考案のリング状宝飾品によれば、点字の凹凸部分を石で表現する事によって視覚障害者の人でも指で触ってメッセージが読めると共に、点字文字自体が輝き、本来の装飾品としての美観を保ちつつ、点字の凹凸を表現する事が出来、点字のイメージをより明るく親しみやすいものにすることができるという効果がある。
【０００８】
また、点字の突起としてダイヤモンドカットされた石の裏側をそのまま利用することにより、作成が容易であるという効果もある。更に、リングの両側に縁を設けることにより、リング状宝飾品を物にこすった場合などに石が離脱し難くなると共に、指輪を装着した場合に、突起が他の指に当たって不快な感触を与えることを防止し、装着感を改善するという効果もある。
【考案を実施するための最良の形態】
【０００９】
以下、図面を参照して実施例を説明する。なお、本明細書において「リング状宝飾品」とは、指輪、ブレスレット、リング状ペンダントなど円筒形状の宝飾品全般を指すが、実施例としては指輪について説明する。また、本明細書において「石」とは、任意の宝石、鉱石、ガラス、金属あるいはこれらに類似する任意の固体を指す。
【実施例１】
【００１０】
図１は、本考案の一実施例である指輪の構造を示す斜視図である。また、図２は、本考案の一実施例である指輪の構造を示す断面図である。指輪１０は例えば金や白金により製造されたリング形状（円筒形状）のものである。指輪１０の両方の端部には盛り上がった縁１１が設けられている。この縁は１１は、縁を結ぶ面が石１５の突出部よりも高くなっている。
【００１１】
縁１１を設けることにより、指輪を物にこすった場合などに石が離脱し難くなると共に、指輪を装着した場合に、突起が他の指に当たって不快な感触を与えることを防止し、装着感を改善する。
【００１２】
指輪１０の表面には、点字の表現単位であるマス１２を区切る溝１７が等間隔で施され、例えば１０個のマス１２のそれぞれの内部には石１５、１６が３行×２列（６点点字の場合）に配置されている。石１５、１６は例えば図２に断面を示すように周知のダイヤモンドカットされた同じ大きさのダイヤモンドである。
【００１３】
石１５、１６の色は同色でもよいし、表側（頂部が平らになっている面）が露出するように配置される石１６と裏側（頂部が多角錐である面）が露出するように配置される石１５とを異なる色としてもよい。石１５、１６は指輪１０に設けられた１マス当たり６カ所の窪み２１に嵌合させて例えば４カ所の爪２０により固定する。
【００１４】
各マス１２内の石の裏表の配置は表現したいメッセージ文字列を周知の点字規則に従って６点点字に変換することによって決定される。そして、点字の突起に対応する位置には石１５が裏側（頂部が多角錐である面）が露出するように配置され、点字の突起以外の位置には石１６が表側（頂部が平らになっている面）が露出するように配置されるか、あるいは石を装着しない。宝飾店においては、客の要望に基づいて石を指輪に装着することによって、明確なメッセージを備えたオーダーメイドの世界に１つしかない指輪を提供することができる。
【００１５】
本考案の指輪は、点字の凹凸部分を石で表現する事によって視覚障害者の人でも指で触ってメッセージが読めると共に、点字文字自体が輝き、本来の装飾品としての美観を保ちつつ、点字の凹凸を表現する事が出来、点字のイメージをより明るく親しみやすいものにすることができる。これにより、通常点字を必要としない人も点字の存在を認識し、日常生活の中で視覚障害者への意識向上につながる。
【実施例２】
【００１６】
図３は、本考案の実施例２である指輪の構造を示す断面図である。図２の実施例１はマス１２内はほぼ平坦である例であったが、図３に示す実施例２はマス３２が凹面で形成されている例である。この例においては縁３１とマス３２との明確な境界は無く、連続した曲面で構成されている。実施例２の方が実施例１よりも指輪の幅をより狭くできる。
【００１７】
この他、本考案の指輪には以下のような実施例も考えられる。石のカットの形状としては、ダイヤモンドカットの例を開示したが、裏面と表面で指で触った場合に突起があるか無いかが判別できれば、形状は任意であり、例えば球面などでもよい。実施例においては、６点点字の場合、６カ所全てに石を配置する例を開示したが、突起の必要な部分のみに石を配置してもよい。
【産業上の利用可能性】
【００１８】
本考案のリング状宝飾品は宝飾品として産業上利用可能である。
【図面の簡単な説明】
【００１９】
【図１】本考案の一実施例である指輪の構造を示す斜視図である。
【図２】本考案の一実施例である指輪の構造を示す断面図である。
【図３】本考案の実施例２である指輪の構造を示す断面図である。
【符号の説明】
【００２０】
１０…指輪
１１…縁
１２…マス
１５…石（裏側）
１６…石（表側）
１７…溝
【図１】
0003120194.tif 000003
【図２】
0003120194.tif 000004
【図３】
0003120194.tif 000005